(57)【要約】【課題】冷蔵室に収容した飲料容器の上部だけが局部的に冷却されるのを防ぐ。【解決手段】冷蔵庫１０は、ビア樽のような飲料容器Ｂを収容可能とした冷蔵室１２と、冷蔵室１２の一側部にて上下方向の中間部より下側に吸気口３３，３４を有するとともに上部に冷却風の吹出口３５，３６を有した上下方向に延びる冷却風ダクト３０と、冷却風ダクト３０内に配設されて通過する空気を冷却する冷却器２１とを備え、冷蔵室１２には冷却風ダクト３０の冷却風の一部を冷蔵室１２の下部に送る下部用冷却風通路３８を設けた。【選択図】図３
2018138859.tif 000002
【特許請求の範囲】
【請求項１】
ビア樽のような飲料容器を収容可能とした冷蔵室と、
前記冷蔵室の一側部にて上下方向の中間部より下側に吸気口を有するとともに上部に冷却風の吹出口を有した上下方向に延びる冷却風ダクトと、
前記冷却風ダクト内に配設されて通過する空気を冷却する冷却器とを備えた冷蔵庫であって、
前記冷蔵室には前記冷却風ダクトの冷却風の一部を前記冷蔵室の下部に送る下部用冷却風通路を設けたことを特徴とする冷蔵庫。
【請求項２】
請求項１に記載の冷蔵庫において、
前記下部用冷却風通路の冷却風の下部用吹出口を前記冷却風ダクトの吸気口よりも低い位置に配置したことを特徴とする冷蔵庫。
【発明の詳細な説明】
【技術分野】
【０００１】
本発明は、冷蔵室にビア樽のような飲料容器を収容して冷却する冷蔵庫に関する。
【背景技術】
【０００２】
下記の特許文献１には、冷蔵室にビア樽(飲料容器）を収容可能とした冷蔵庫が開示されている。この冷蔵庫の上部には注出機構として注出コックが設けられており、注出コックには冷蔵室内のビア樽から導出された飲料供給管が接続されている。冷蔵室で冷却されたビア樽内のビールはガスボンベから供給された炭酸ガスの圧力により飲料供給管を通って注出コックから注出される。
【０００３】
この冷蔵庫の冷蔵室には、底壁に吸気口を有するとともに後上部に冷却風の吹出口とを有し、冷蔵室の底部と後側部に連続して形成された冷却風ダクトが設けられている。冷蔵室の底部の空気は吸気口から冷却風ダクトに吸い込まれ、吸い込まれた空気は冷却風ダクト内に配設された冷却器によって冷却され、冷却された空気はファンによって吹出口から冷蔵室内に冷却風として吹き出される。冷蔵室内のビア樽は吹出口から吹き出される冷却風によって冷却される。
【先行技術文献】
【特許文献】
【０００４】
【特許文献１】特開２００４−２７１０１７号公報
【発明の概要】
【発明が解決しようとする課題】
【０００５】
特許文献１の冷蔵庫においては、冷蔵室内のビア樽は冷蔵室の後上部に形成された吹出口からの冷却風によって冷却されているが、ビア樽の冷蔵時間が短いときに、ビア樽の上部は吹き出される冷却風によって十分に冷却されるものの、ビア樽の下部は上部と比して十分に冷却されないことがある。特に、冷蔵室内に高さの低いビア樽を上下に２段以上積み上げたときに、上段のビア樽が十分に冷却されるのに対し、下段のビア樽が十分に冷却されない。このとき、上段のビア樽が空になった後で、下段のビア樽からビールを注出すると、下段のビア樽から十分に冷却されたビールを注出させることができないことがあった。本発明は、冷蔵室に収容した飲料容器の上部だけが局部的に冷却されるのを防ぐことを目的とする。
【課題を解決するための手段】
【０００６】
上記課題を解決するために、ビア樽のような飲料容器を収容可能とした冷蔵室と、冷蔵室の一側部にて上下方向の中間部より下側に吸気口を有するとともに上部に冷却風の吹出口を有した上下方向に延びる冷却風ダクトと、冷却風ダクト内に配設されて通過する空気を冷却する冷却器とを備えた冷蔵庫であって、冷蔵室には冷却風ダクトの冷却風の一部を冷蔵室の下部に送る下部用冷却風通路を設けたことを特徴とする冷蔵庫を提供するものである。
【０００７】
上記のように構成した冷蔵庫においては、冷蔵室の上部に冷却風の吹出口を有した冷却風ダクトだけでなく、冷蔵室には冷却風ダクトの冷却風の一部を冷蔵室の下部に送る下部用冷却風通路を設けたので、冷蔵室の上部及び下部の両方を冷却することができるようになった。これにより、冷蔵室内の飲料容器の上部だけが局部的に冷却されるのを防ぐこと、飲料容器を上下に積み上げて収容したときに、上側の飲料容器だけが冷却されて下側の飲料容器が冷却されないのを防ぐことが可能となった。
【０００８】
上記のように構成した冷蔵庫においては、下部用冷却風通路の冷却風の下部用吹出口を冷却風ダクトの吸気口よりも低い位置に配置するのが好ましい。このようにしたときには、下部用冷却風通路の下部用吹出口から吹き出される冷却風が冷蔵室の下部を通ってから吸気口に吸い込まれるため、飲料容器の下部、または、上下に積み重ねた下側の飲料容器を確実に冷却できるようになった。
【図面の簡単な説明】
【０００９】
【図１】本発明の冷蔵庫の一実施形態の側面図である。
【図２】図１の前後方向に沿った縦方向断面図である。
【図３】冷蔵室内の正面図である。
【図４】図２の斜め下方から見た断面斜視図である。
【発明を実施するための最良の形態】
【００１０】
以下、本発明の冷蔵庫の一実施形態を添付図面を参照して説明する。図１及び図２に示したように、本実施形態の冷蔵庫１０は、注出コック１５からビール等の飲料を注出するのに用いるビア樽のような飲料容器を収容して冷却するものであり、ハウジング１１の後側部を除いた部分に冷蔵室１２と、ハウジング１１の後側部に機械室１３を備えている。
【００１１】
図２に示したように、冷蔵室１２は内部に収容したビア樽Ｂ（飲料容器）を冷却するものであり、この実施形態では高さの低いビア樽Ｂを上下に２段に積み上げて収容可能な大きさとなっている。冷蔵室１２の外周面には発泡材よりなる断熱材（図示省略）が設けられている。図２及び図４に示したように、冷蔵室１２の後壁下部には庫内側となる前側に突出する突出部１２ａと、突出部１２ａの上側に傾斜部１２ｂが形成されており、機械室１３の下部はこの突出部１２ａによって上部よりも広くなっている。
【００１２】
冷蔵室１２の前部には開口部が設けられており、冷蔵室１２の前部には開口部を開閉する扉１４が設けられている。冷蔵室１２は扉１４を開閉することによってビア樽Ｂを出し入れ可能としている。扉１４の前面部には注出コック１５が設けられており、注出コック１５は飲料供給管１６によって冷蔵室１２内の上側のビア樽Ｂに接続されている。また、冷蔵室１２内の上側のビア樽Ｂには冷蔵庫１０の外部に設けた炭酸ガスボンベ（図示省略）から導出したガス供給管（図示省略）が接続されている。冷蔵室１２内の上側のビア樽Ｂ内のビールは炭酸ガスボンベの炭酸ガスの圧力によって注出コック１５に押し出され、注出コック１５から注出されるようになっている。注出コック１５に接続された上側のビア樽Ｂは注出コック１５からビールを注出するにも用いられ、下側のビア樽Ｂは上側のビア樽Ｂが空になったときに直ぐに冷えたビールを供給するために予備用として用いられる。
【００１３】
図１及び図２に示したように、機械室１３には、冷却器２１を除いた冷凍装置２０が収容されており、冷凍装置２０の冷却器２１は冷蔵室１２の後側部に配設した冷却風ダクト３０内に配置されている。冷凍装置２０の圧縮機２２は冷蔵室１２の突出部１２ａにより広くなった機械室１３の下部に配設されている。圧縮機２２が奥行き方向の長さが長い機械室１３の下部に配置されているので、冷蔵庫１０の奥行き方向の長さを短くすることが可能となっている。冷凍装置２０の凝縮器２３は機械室１３の上部の奥行き方向の長さが短い部分に斜めに配置されている。冷凍装置２０は、圧縮機２２により圧縮した冷媒ガスを凝縮器２３により冷却して液化させ、この液化冷媒をキャピラリーチューブを通して冷却器２１に導き、冷却器２１で気化させることによって冷却風ダクト３０を通過する空気を冷却する。
【００１４】
図２及び図４に示したように、冷蔵室１２の後側部（一側部）には上下に延びる冷却風ダクト３０が設けられており、図３に示したように、冷蔵室１２の後側部と左側部の角部には下部用冷却風通路３８が配設されている。図２及び図４に示したように、冷蔵室１２の後側部（一側部）には後壁の前側に第１隔壁板３１と、第１隔壁板３１の前側に第２隔壁板３２とが設けられている。第１隔壁板３１は冷蔵室１２の突出部１２ａよりも少し上側で冷蔵室１２の後壁の前側に配設されており、冷却風ダクト３０は冷蔵室１２の突出部１２ａより上側の後壁と第１隔壁板３１との間に形成されている。第２隔壁板３２は第１隔壁板３１の前側で冷蔵室１２の突出部１２ａの上縁を覆うように配設され、下部用冷却風通路３８は第１隔壁板３１と第２隔壁板３２と冷蔵室１２の左側壁との間に形成されている。また、冷蔵室１２の後側部は第２隔壁板３２と突出部１２ａとによって実質的に面一となっている。
【００１５】
冷蔵室１２の突出部１２ａの上縁と第１隔壁板３１の下縁との間には第１吸気口３３が形成され、第２隔壁板３２の下部には第２吸気口３４が形成されている。第１及び第２吸気口３３，３４は冷蔵室１２の後側部の上下方向の中間部より少し下側に配置されている。冷蔵室１２内の空気は第１及び第２吸気口３３，３４を通って冷却風ダクト３０内に導入され、導入された空気は傾斜部１２ｂによって上側に案内されて冷却風ダクト３０内を上昇しやすくなっている。第１及び第２隔壁板３１，３２の上部には第１及び第２吹出口３５，３６が形成されており、冷却風ダクト３０内の空気は第１及び第２吹出口３５，３６を通って冷蔵室１２内の上部に吹き出される。
【００１６】
図２及び図４に示したように、冷却風ダクト３０内には上述した冷凍装置２０の冷却器２１が配設されており、冷却風ダクト３０内の空気は冷却器２１によって冷却される。冷却風ダクト３０の上部には第１吹出口３５の後側にファン３７が設けられている。冷蔵室１２内の空気はファン３７の作動によって第１及び第２吸気口３３，３４から冷却風ダクト３０内に吸い込まれ、吸い込まれた空気は冷却風ダクト３０内を上昇するときに冷却器２１によって冷却され（冷却風ダクト３０内の空気の流れを図３及び図４のＷ１にて示した）、図３及び図４に示したように、冷却された空気は第１及び第２吹出口３５，３６から冷蔵室１２に冷却風Ｗ２となって吹き出される。
【００１７】
図３に示したように、下部用冷却風通路３８は冷却風ダクト３０から吹き出される冷却風の一部を冷蔵室１２の下部に導くためものである。第１隔壁板３１と第２隔壁板３２との間には下部用冷却風通路３８を形成するための仕切部３９が設けられている。仕切部３９は第１及び第２吹出口３５，３６の右側、下側及び吹出口３５，３６の下側にて第１及び第２隔壁板３１，３２の左側部に配置されており、第１及び第２吹出口３５，３６の周囲を含むように第１及び第２隔壁板３１，３２の間の左側部を他の部分と仕切っている。第１及び第２隔壁板３１，３２と仕切部３９と冷蔵室１２の左側壁により仕切られる空間によって下部用冷却風通路３８が形成されている。第２隔壁板３２の左下部には下部用冷却風通路３８の下部用吹出口４０が形成されている。下部用吹出口４０は第１及び第２吸気口３３，３４より下側に形成されているとともに、冷蔵室１２の底部となる下側に向けて開口している。図３及び図４に示したように、冷却風ダクト３０内を上昇して冷却器２１により冷却された空気は第１及び第２吹出口３５，３６から冷蔵室１２に冷却風Ｗ２となって吹き出されるが、第１吹出口３５から吹き出された冷却風の一部Ｗ３は第１及び第２隔壁板３１，３２との間の下部用冷却風通路３８を通り、下部用吹出口４０から冷蔵室１２の下部に吹き出される（下部用吹出口４０から吹き出された冷却風をＷ４にて示した）。なお、上側のビア樽Ｂが過剰に冷却されるのを防ぐとともに、下側のビア樽Ｂを下部用吹出口４０からの十分な風量の冷却風Ｗ４によって冷却するために、第１及び第２吹出口３５，３６の開口面積が広くならないように適宜調整されている。
【００１８】
上記のように構成した冷蔵庫１０においては、冷蔵室１２内に収容したビア樽Ｂは冷凍装置２０とファン３７の作動による冷却風によって冷却されている。詳述すると、冷蔵室１２内の空気はファン３７の作動によって第１及び第２吸気口３３，３４から冷却風ダクト３０内に吸い込まれ、吸い込まれた空気は冷却器２１を通過するときに冷却され（冷却風ダクト３０を上昇する空気をＷ１にて示した）、冷却された空気の大部分は第１及び第２吹出口３５，３６から冷蔵室１２内の上部に冷却風Ｗ２となって吹き出される。吹き出された冷却風Ｗ２は冷蔵室１２内の上段のビア樽Ｂに吹き付けられて、上段のビア樽Ｂは第１及び第２吹出口３５，３６から吹き出される冷却風によって冷却される。また、第１吹出口３５から吹き出された冷却風の一部Ｗ３は下部用冷却風通路３８を通って下部用吹出口４０から冷蔵室１２内の底部に吹き出され、下段のビア樽Ｂは下部用吹出口４０から吹き出される冷却風Ｗ４によって冷却される。
【００１９】
上記のように構成した冷蔵庫１０においては、冷蔵室１２の上部に冷却風の吹出口３５，３６を有した冷却風ダクト３０だけでなく、冷蔵室１２には冷却風ダクト３０の冷却風の一部を冷蔵室１２の下部に送る下部用冷却風通路３８を設けたので、冷蔵室１２の上部及び下部の両方を冷却することができるようになった。これにより、冷蔵室１２内でビア樽Ｂを上下に積み上げて収容したときに、上側のビア樽Ｂだけが冷却されて下側のビア樽Ｂが冷却されないこと防ぐことが可能となった。なお、この実施形態では、冷蔵室１２内にビア樽Ｂを上下２段に積み上げるように収容したが、冷蔵室１２内に高さの高いビア樽を収容したときには、ビア樽の上部及び下部の両方を冷却風により冷却して、ビア樽の上部だけが局部的に冷却されるのを防ぐことができる。
【００２０】
また、下部用冷却風通路３８の冷却風の下部用吹出口４０は冷却風ダクト３０の第１及び第２吸気口３３，３４よりも低い位置に配置されている。下部用冷却風通路３８の下部用吹出口４０から吹き出される冷却風Ｗ４は冷蔵室１２の下部を通ってから第１及び第２吸気口３３，３４に吸い込まれるため、下部用吹出口４０から吹き出された冷却風Ｗ４が下側のビア樽Ｂの周囲を通過せずに第１及び第２吸気口３３，３４に吸い込まれるのを防ぐことができ、下側のビア樽Ｂを確実に冷却できるようになった。なお、この場合においても、冷蔵室１２内に高さの高いビア樽を収容したときには、ビア樽の下部の確実に冷却でき、ビア樽の上部だけが局部的に冷却されるのを防ぐことができる。
【００２１】
この実施形態の冷蔵庫１０は、冷蔵室１２の後壁下部には庫内側となる前側に突出する突出部１２ａを形成し、機械室１３の下部をこの突出部１２ａによって奥行き方向に広くするようにしている。奥行き方向に広くなった機械室１３の下部に冷凍装置２０の圧縮機２２を配置するとともに、冷蔵室１２の突出部１２ａの上側の空間を冷却風ダクト３０として用いるようにしたため、冷蔵庫１０の奥行き方向の長さをできるだけ短くすることができた。また、冷蔵室１２の下部に突出部１２ａを形成したために、冷蔵室１２の下部に吸気口を形成することができず、冷蔵室１２の下部を冷却しにくくなったものの、冷蔵室１２内に下部用冷却風通路３８を設けることで、冷蔵室１２の下部に冷却風を送出することができ、冷蔵室１２の下部が冷却されにくい課題を解決できるようになった。
【００２２】
上述した実施形態では、冷却風ダクト３０及び下部用冷却風通路３８を冷蔵室１２の後側部に配設したが、本発明はこれに限られるものでなく、冷却風ダクト３０及び下部用冷却風通路３８を冷蔵室１２の右側部、左側部または前側部に配設してもよい。
【００２３】
上述した実施形態においては、飲料容器の一例としてビア樽Ｂを用いて説明したが、本発明はこれに限られるものでなく、飲料容器にジュースや酎ハイ等の他の飲料を貯えたものであってもよい。
【００２４】
上述した実施形態においては、注出機構として扉１４の前部に注出コック１５を備えた冷蔵庫１０について説明したが、本発明はこれに限られるものでなく、ハウジング１１の上部に注出コックを備えるようにしたものであってもよいし、注出機構として冷蔵庫１０とは別に設けたドラフトタワーを用いたものであってもよい。
【符号の説明】
【００２５】
１０…冷蔵庫、１２…冷蔵室、２１…冷却器、３０…冷却風ダクト、３３，３４…吸気口（第１吸気口３３，第２吸気口３４）、３５，３６…吹出口（第１吹出口３５，第２吹出口３６）、３８…下部用冷却風通路、４０…下部用吹出口、Ｂ…飲料容器（ビア樽）。
【図１】
2018138859.tif 000003
【図２】
2018138859.tif 000004
【図３】
2018138859.tif 000005
【図４】
2018138859.tif 000006